(57)【要約】【課題】電子回路基板に取り付けられた際に電子回路基板からの突出高さを低減可能なノイズフィルタを提供する。【解決手段】ノイズフィルタは、磁性コア及びケースを備える。磁性コアは、磁性材料によって構成され、電線を挿通可能な形状の貫通孔を有する。ケースは、磁性コアを収容可能に構成され、電子回路基板の端面側から電子回路基板の板面に沿う方向へケースをスライドさせて、電子回路基板に設けられた切欠き部へケースを導入することにより、電子回路基板の板厚方向についてケースの一部が切欠き部へ入り込んでいる状態で、ケースを電子回路基板に対して取り付け可能に構成されている。【選択図】図７
2020077739.tif 000002
【特許請求の範囲】
【請求項１】
磁性コア及びケースを備え、
前記磁性コアは、磁性材料によって構成され、電線を挿通可能な形状の貫通孔を有し、
前記ケースは、前記磁性コアを収容可能に構成され、電子回路基板の端面側から前記電子回路基板の板面に沿う方向へ前記ケースをスライドさせて、前記電子回路基板に設けられた切欠き部へ前記ケースを導入することにより、前記電子回路基板の板厚方向について前記ケースの一部が前記切欠き部へ入り込んでいる状態で、前記ケースを前記電子回路基板に対して取り付け可能に構成されている
ノイズフィルタ。
【請求項２】
請求項１に記載のノイズフィルタであって、
前記磁性コアは、第１分割コア及び第２分割コアを有し、前記第１分割コアと前記第２分割コアを対向させると前記貫通孔が形成されるように構成され、
前記ケースは、互いに係合可能に構成された第１分割ケース及び第２分割ケースを有し、前記第１分割ケースによって前記第１分割コアを保持可能、かつ前記第２分割ケースによって前記第２分割コアを保持可能に構成され、前記第１分割ケースと前記第２分割ケースを係合させると、前記第１分割コアと前記第２分割コアが前記貫通孔を形成する位置に配置されるように構成されている
ノイズフィルタ。
【請求項３】
請求項２に記載のノイズフィルタであって、
前記ケースは、第１挟持部、第２挟持部及び抜止部を有し、
前記第１挟持部は、前記ケースが前記切欠き部へ導入される際に、前記切欠き部を挟んで対向する位置にある前記電子回路基板の第１縁部及び第２縁部のうち、前記第１縁部を当該第１縁部の板厚方向両側から挟み込む位置に配置可能、かつ前記第１縁部に沿ってスライド可能に構成され、
前記第２挟持部は、前記ケースが前記切欠き部へ導入される際、前記第２縁部を当該第２縁部の板厚方向両側から挟み込む位置に配置可能、かつ前記第２縁部に沿ってスライド可能に構成され、
前記抜止部は、前記ケースが前記切欠き部へ導入される際に、前記電子回路基板に設けられた被係合部と係合可能に構成されて、当該被係合部と係合した際には、前記第１挟持部及び前記第２挟持部が前記第１縁部及び前記第２縁部に沿ってスライドするのを抑制するように構成されている
ノイズフィルタ。
【請求項４】
請求項３に記載のノイズフィルタであって、
前記第１挟持部、前記第２挟持部及び前記抜止部は、前記第１分割ケースに設けられていて、前記ケースが前記切欠き部へ導入される際には、前記第１分割ケースが前記電子回路基板に対して取り付けられるように構成され、前記第１分割ケースが前記電子回路基板に対して取り付けられた状態のまま、前記第１分割ケースと前記第２分割ケースとの係合を解除可能に構成されている
ノイズフィルタ。
【請求項５】
請求項２から請求項４までのいずれか一項に記載のノイズフィルタであって、
前記ケースは、前記第１分割ケース及び前記第２分割ケースと一体成形されて、前記第１分割ケースと前記第２分割ケースを開閉可能に連結するヒンジ部を有する
ノイズフィルタ。
【発明の詳細な説明】
【技術分野】
【０００１】
本開示は、ノイズフィルタに関する。
【背景技術】
【０００２】
フラットケーブル用のノイズフィルタが知られている（例えば、特許文献１参照。）。特許文献１には、第２のケース部材（５）に外部取り付け部（５７）を設ける例が記載されている。このような外部取り付け部（５７）を利用すれば、ノイズフィルタを回路基板などに設けられた取付孔（５８）などに容易に装着し得る旨が開示されている。
【先行技術文献】
【特許文献】
【０００３】
【特許文献１】特開２００５−４５１７８号公報
【発明の概要】
【発明が解決しようとする課題】
【０００４】
しかし、上記特許文献１に記載のノイズフィルタを、例えば、回路基板の上面に取り付けたい場合であっても、その回路基板の上方にノイズフィルタを配置できるだけの十分な寸法の空間が存在しなければ、ノイズフィルタを取り付けることは困難である。
【０００５】
本開示の一局面においては、電子回路基板に取り付けられた際に電子回路基板からの突出高さを低減可能なノイズフィルタを提供することが望ましい。
【課題を解決するための手段】
【０００６】
本開示の一態様は、ノイズフィルタであって、磁性コア及びケースを備える。磁性コアは、磁性材料によって構成され、電線を挿通可能な形状の貫通孔を有する。ケースは、磁性コアを収容可能に構成され、電子回路基板の端面側から電子回路基板の板面に沿う方向へケースをスライドさせて、電子回路基板に設けられた切欠き部へケースを導入することにより、電子回路基板の板厚方向についてケースの一部が切欠き部へ入り込んでいる状態で、ケースを電子回路基板に対して取り付け可能に構成されている。
【０００７】
このように構成されたノイズフィルタによれば、上述のように構成されたケースを備えている。そのため、ノイズフィルタを電子回路基板の端面側から電子回路基板の板面に沿う方向へスライドさせて、電子回路基板に設けられた切欠き部へノイズフィルタを導入することができる。これにより、電子回路基板の板厚方向についてケースの一部が切欠き部へ入り込んでいる状態で、ノイズフィルタを電子回路基板に対して取り付けることができる。したがって、このようなノイズフィルタであれば、電子回路基板の片面の上に積み重ねられるように配置されるノイズフィルタに比べ、電子回路基板からの突出高さを低減することができる。
【図面の簡単な説明】
【０００８】
【図１】図１Ａはノイズフィルタを右上前方から見た斜視図である。図１Ｂはノイズフィルタを左下後方から見た斜視図である。
【図２】図２Ａは磁性コアを右上前方から見た斜視図である。図２Ａは第１分割コア及び第２分割コアを右上前方から見た斜視図である。
【図３】図３Ａはノイズフィルタの平面図である。図３Ｂはノイズフィルタの底面図である。
【図４】図４Ａはノイズフィルタの左側面図である。図４Ｂはノイズフィルタの正面図である。図４Ｃはノイズフィルタの右側面図である。図４Ｄはノイズフィルタの背面図である。
【図５】図５Ａは第１分割ケース及び第２分割ケースを開位置へ変位させた状態を示す斜視図である。図５Ｂは図４ＢにＶＢ−ＶＢ線で示した切断面における断面図である。
【図６】図６Ａは電子回路基板に取り付けられる前のノイズフィルタを示す斜視図である。図６Ｂは電子回路基板に取り付けられた後のノイズフィルタを示す斜視図である。
【図７】図７Ａはノイズフィルタ、電子回路基板及びフラットケーブルの前後方向に垂直な切断面における中央断面図である。図７Ｂはノイズフィルタ、電子回路基板及びフラットケーブルの左右方向に垂直な切断面における中央断面図である。
【発明を実施するための形態】
【０００９】
次に、上述のノイズフィルタについて、例示的な実施形態を挙げて説明する。本実施形態においては、図中に併記した前後左右上下の各方向を利用して説明を行う。これらの各方向は、ノイズフィルタの平面図（図３Ａ参照。）に表れる箇所が向けられる方向を上、底面図（図３Ｂ参照。）に表れる箇所が向けられる方向を下、正面図（図４Ｂ参照。）に表れる箇所が向けられる方向を前、背面図（図４Ｄ参照。）に表れる箇所が向けられる方向を後、左側面図（図４Ａ参照。）に表れる箇所が向けられる方向を左、右側面図（図４Ｃ参照。）に表れる箇所が向けられる方向を右、と規定した相対的な方向である。
【００１０】
ただし、これらの各方向は、ノイズフィルタを構成する各部の相対的な位置を簡潔に説明するために規定した方向にすぎない。したがって、例えばノイズフィルタの使用時等に、ノイズフィルタがどのような方向に向けられるかは不定である。
【００１１】
［ノイズフィルタの構成］
図１Ａ及び図１Ｂに示すように、ノイズフィルタ１は、磁性コア３及びケース５を備える。磁性コア３は、磁性材料（本実施形態の場合はフェライト。）によって構成される。ケース５は、樹脂材料によって構成される。磁性コア３は、図２Ａに示すように、図中でいう前後方向に貫通する貫通孔１１を有する。この貫通孔１１は、フラットケーブル（本開示でいう電線の一例に相当。）を挿通可能な扁平な形状（すなわち、上下方向の寸法が左右方向の寸法に比べて極めて薄い形状。）とされている。本実施形態の場合、磁性コア３は、図２Ａ及び図２Ｂに示すように、第１分割コア１３Ａ及び第２分割コア１３Ｂを有する。第１分割コア１３Ａ及び第２分割コア１３Ｂは、完全に同一の形状に構成され、同一形状とされた特定の面同士を向かい合わせて接触させると、貫通孔１１を有する形状となるように構成されている。
【００１２】
ケース５は、磁性コア３を収容可能に構成されている。本実施形態の場合、ケース５は、図１Ａ、図１Ｂ、図３Ａ、図３Ｂ、図４Ａ、図４Ｂ、図４Ｃ及び図４Ｄに示すように、第１分割ケース１５Ａ及び第２分割ケース１５Ｂを有する。第１分割ケース１５Ａと第２分割ケース１５Ｂは、図１Ｂ及び図４Ａ等に示すように、ヒンジ部１７を介して開閉可能に連結されている。これにより、第１分割ケース１５Ａ及び第２分割ケース１５Ｂは、互いに相対的に揺動し、図１Ａに示すような閉位置及び図５Ａに示すような開位置へ変位可能となっている。なお、第１分割ケース１５Ａ、第２分割ケース１５Ｂ及びヒンジ部１７は、射出成形によって一体成形されている。
【００１３】
ケース５は、第１分割ケース１５Ａによって第１分割コア１３Ａを保持可能、かつ第２分割ケース１５Ｂによって第２分割コア１３Ｂを保持可能に構成されている。本実施形態の場合、第１分割コア１３Ａは、図２Ｂに示すように、４つの凹部２１を有する。第１分割コア１３Ａが第１分割ケース１５Ａに収容される際には、図５Ａに示すように、第１分割ケース１５Ａに設けられた４つの爪部２３が４つの凹部２１に引っ掛かる。また、第１分割ケース１５Ａは、図３Ｂに示すように、２つのばね部２５を有する。第１分割コア１３Ａが第１分割ケース１５Ａに収容される際、ばね部２５は、図５Ｂに示すように、第１分割コア１３Ａに接触し、第１分割コア１３Ａから作用する力でばね部２５が弾性変形し、ばね部２５は第１分割コア１３Ａを爪部２３に向かって付勢する。これにより、第１分割コア１３Ａは、爪部２３に向かって押し付けられる状態で、第１分割ケース１５Ａによって保持される。
【００１４】
上述の通り、第２分割コア１３Ｂは第１分割コア１３Ａと完全に同一の形状に構成されていて、第２分割コア１３Ｂも４つの凹部２１を有する。これら４つの凹部２１には、第２分割ケース１５Ｂに設けられた４つの爪部２３が引っ掛かる。また、第２分割ケース１５Ｂは、図３Ａに示すように、２つのばね部２５を有する。第２分割コア１３Ｂが第２分割ケース１５Ｂに収容される際、ばね部２５は、図５Ｂに示すように、第２分割コア１３Ｂに接触し、第２分割コア１３Ｂから作用する力でばね部２５が弾性変形し、ばね部２５は第２分割コア１３Ｂを爪部２３に向かって付勢する。これにより、第２分割コア１３Ｂは、爪部２３に向かって押し付けられる状態で、第２分割ケース１５Ｂによって保持される。
【００１５】
第１分割ケース１５Ａ及び第２分割ケース１５Ｂは、上述の閉位置（図１Ａ等参照。）へ変位した際に、互いに係合可能に構成されている。第１分割ケース１５Ａと第２分割ケース１５Ｂを係合させると、第１分割コア１３Ａと第２分割コア１３Ｂは、上述のような貫通孔１１を形成する位置に配置される。より詳しくは、第２分割ケース１５Ｂは、図４Ｃ及び図５Ａに示すように、係合突起３１を有する。第１分割ケース１５Ａは、弾性係合片３３を有する。第１分割ケース１５Ａ及び第２分割ケース１５Ｂが上述の閉位置（図１Ａ等参照。）へ変位すると、係合突起３１が弾性係合片３３を弾性変形させつつ弾性係合片３３に引っ掛かる位置へと移動し、第１分割ケース１５Ａ及び第２分割ケース１５Ｂが係合する。
【００１６】
ケース５は、図１Ａ、図１Ｂ、図３Ａ、図３Ｂ、図４Ａ、図４Ｂ、図４Ｃ及び図４Ｄに示すように、第１挟持部３５Ａ、第２挟持部３５Ｂ及び抜止部３７を有する。本実施形態の場合、第１挟持部３５Ａ、第２挟持部３５Ｂ及び抜止部３７は、第１分割ケース１５Ａに設けられている。
【００１７】
第１挟持部３５Ａは、図４Ｂに表れるように、前方から見ると略円形に見える空隙４１を有し、左端側にスリット４３を有する形状とされている。当該空隙４１及びスリット４３を有する形状とされた部分は、図３Ａ、図３Ｂ及び図４Ａに表れるように、ヒンジ部１７が設けられた範囲よりも前方となる範囲、及びヒンジ部１７が設けられた範囲よりも後方となる範囲、以上２つの範囲において前後方向に延在している。
【００１８】
これら２つの範囲それぞれにおいて、スリット４３の後端側の一部は、図４Ａに表れるように、上下方向の寸法が後端で最大となり、後端から前端側に向かって徐々に狭まる形状とされている。また、空隙４１の後端側の一部は、図４Ｄに表れるように、左右方向の寸法が後端で最大となり、後端から前端側に向かって徐々に左側へ狭まる形状とされている。このように空隙４１及びスリット４３の形状を後端側で拡がる形状にすると、後述する電子回路基板６１の第１縁部７３Ａを空隙４１及びスリット４３へ導入しやすくすることができる。
【００１９】
第２挟持部３５Ｂは、図４Ｂに表れるように、前方から見ると略円形に見える空隙４５を有し、右端側にスリット４７を有する形状とされている。当該空隙４５及びスリット４７を有する形状とされた部分は、図３Ａ、図３Ｂ及び図４Ｂに表れるように、ケース５の前端から後端に至る範囲において前後方向に延在している。
【００２０】
スリット４７の後端側の一部は、図４Ｂに表れるように、上下方向の寸法が後端側ほど拡大する形状とされている。また、空隙４５の後端側の一部は、図４Ｄに表れるように、左右方向の寸法が後端で最大となり、後端から前端側に向かって徐々に右側へ狭まる形状とされている。このように空隙４５及びスリット４７の形状を後端側で拡がる形状にすると、後述する電子回路基板６１の第２縁部７３Ｂを空隙４５及びスリット４７へ導入しやすくすることができる。
【００２１】
抜止部３７は、図３Ａ、図３Ｂ、図４Ａ及び図４Ｃに表れるように、後方に向かって延出する延出片５１と、延出片５１の延出方向先端付近の下面から下方へ向かって突出する突起５３とを有する形状とされている。突起５３は、図３Ｂに表れるような、下方からは円形に見える円柱体の一部が切り取られて、図４Ａ及び図４Ｃに表れるような、円柱体の後端上方から斜め下前方へと傾斜する傾斜面が設けられた形状とされている。
【００２２】
以上のように構成されたノイズフィルタ１は、図６Ａに示すように、電子回路基板６１の端面側から電子回路基板６１の板面に沿う方向（図６中に矢印で示す方向。）へケース５をスライドさせることにより、図６Ｂに示すように、電子回路基板６１に取り付けることができる。また、図６Ａに示すように、第１分割ケース１５Ａ及び第２分割ケース１５Ｂを開位置へと変位させた状態でフラットケーブル６３を配置してから、第１分割ケース１５Ａ及び第２分割ケース１５Ｂを閉位置へと変位させることにより、図６Ｂに示すように、フラットケーブル６３をノイズフィルタ１に通すことができる。ノイズフィルタ１を電子回路基板６１に取り付ける作業と、フラットケーブル６３をノイズフィルタ１に通す作業については、どちらを先に実施してもよい。
【００２３】
ノイズフィルタ１が電子回路基板６１に取り付けられる際、第１挟持部３５Ａは、図６Ａ及び図７Ａに示すように、切欠き部７１を挟んで対向する位置にある電子回路基板６１の第１縁部７３Ａ及び第２縁部７３Ｂのうち、第１縁部７３Ａを当該第１縁部７３Ａの板厚方向両側から挟み込む位置に配置されて第１縁部７３Ａに沿ってスライドする。第２挟持部３５Ｂは、第２縁部７３Ｂを当該第２縁部７３Ｂの板厚方向両側から挟み込む位置に配置されて第２縁部７３Ｂに沿ってスライドする。
【００２４】
ケース５を切欠き部７１の奥までスライドさせると、図７Ｂに示すように、抜止部３７は、電子回路基板６１に設けられた被係合部７５と係合する。これにより、抜止部３７と被係合部７５との係合を意図的に解除しない限り、第１挟持部３５Ａ及び第２挟持部３５Ｂを第１縁部７３Ａ及び第２縁部７３Ｂに沿って前方へとスライドさせることはできなくなり、ノイズフィルタ１が電子回路基板６１に固定される。
【００２５】
［効果］
上記ノイズフィルタ１によれば、ノイズフィルタ１を電子回路基板６１の端面側から電子回路基板６１の板面に沿う方向へスライドさせて、電子回路基板６１に設けられた切欠き部７１へノイズフィルタ１を導入することができる。これにより、電子回路基板６１の板厚方向についてケース５の一部が切欠き部７１へ入り込んでいる状態で、ノイズフィルタ１を電子回路基板６１に対して取り付けることができる。したがって、このようなノイズフィルタ１であれば、電子回路基板６１の片面の上に積み重ねられるように配置されるノイズフィルタ１に比べ、電子回路基板６１からの突出高さを低減することができる。
【００２６】
［他の実施形態］
以上、本開示のノイズフィルタについて、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００２７】
例えば、上記実施形態では、第１分割ケース１５Ａ及び第２分割ケース１５Ｂは、ヒンジ部１７を介して開閉可能に連結されていたが、ヒンジ部１７を設けるか否かは任意である。例えば、第１分割ケース１５Ａ及び第２分割ケース１５Ｂは、互いに係合可能かつ係合を解除すると分離可能な構造になっていてもよい。
【００２８】
また、上記実施形態では、第１分割コア１３Ａと第２分割コア１３Ｂが同一形状となっていたが、第１分割コア１３Ａと第２分割コア１３Ｂが異なる形状となっていてもよい。
また、上記実施形態では、電線の一例としてフラットケーブルを例示したが、本開示でいう電線はフラットケーブルに限定されない。ただし、機器の小型化や薄型化に対応するため、フラットケーブルを使用する事例は増大している。よって、複数の電線を有するケーブルを利用したい場合は、フラットケーブルを用いると好ましく、その場合、ノイズフィルタもフラットケーブルに対応した形状とすれば、ノイズフィルタを低背化することが可能である。
【００２９】
また、上記実施形態では、第１分割コア１３Ａ及び第２分割コア１３Ｂが互いに接触するように構成されていたが、磁気飽和を抑制するために、上記実施形態における第１分割コア１３Ａ及び第２分割コア１３Ｂの互いの接触面間に、樹脂シートを挟み込んだり空隙を設けたりすることにより、磁気的ギャップを設けてもよい。すなわち、第１分割コア１３Ａ及び第２分割コア１３Ｂが貫通孔１１を有する形状となるように配置されれば、第１分割コア１３Ａ及び第２分割コア１３Ｂを磁気的に接続して閉磁路を構成できるので、第１分割コア１３Ａと第２分割コア１３Ｂが直に接触するか、介在物を挟み込むか、空隙を挟んで対向するかは、いずれの構成を採用してもよい。
【００３０】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００３１】
（４）補足
［補足］
なお、以上説明した例示的な実施形態から明らかなように、本開示のノイズフィルタは、更に以下に挙げるような構成を備えていてもよい。
【００３２】
本開示の一態様では、磁性コアは、第１分割コア及び第２分割コアを有し、第１分割コアと第２分割コアを対向させると貫通孔が形成されるように構成されてもよい。ケースは、互いに係合可能に構成された第１分割ケース及び第２分割ケースを有し、第１分割ケースによって第１分割コアを保持可能、かつ第２分割ケースによって第２分割コアを保持可能に構成され、第１分割ケースと第２分割ケースを係合させると、第１分割コアと第２分割コアが貫通孔を形成する位置に配置されるように構成されていてもよい。
【００３３】
本開示の一態様では、ケースは、第１挟持部、第２挟持部及び抜止部を有してもよい。第１挟持部は、ケースが切欠き部へ導入される際に、切欠き部を挟んで対向する位置にある電子回路基板の第１縁部及び第２縁部のうち、第１縁部を当該第１縁部の板厚方向両側から挟み込む位置に配置可能、かつ第１縁部に沿ってスライド可能に構成されてもよい。第２挟持部は、ケースが切欠き部へ導入される際、第２縁部を当該第２縁部の板厚方向両側から挟み込む位置に配置可能、かつ第２縁部に沿ってスライド可能に構成されてもよい。抜止部は、ケースが切欠き部へ導入される際に、電子回路基板に設けられた被係合部と係合可能に構成されて、当該被係合部と係合した際には、第１挟持部及び第２挟持部が第１縁部及び第２縁部に沿ってスライドするのを抑制するように構成されていてもよい。
【００３４】
本開示の一態様では、第１挟持部、第２挟持部及び抜止部は、第１分割ケースに設けられていて、ケースが切欠き部へ導入される際には、第１分割ケースが電子回路基板に対して取り付けられるように構成され、第１分割ケースが電子回路基板に対して取り付けられた状態のまま、第１分割ケースと第２分割ケースとの係合を解除可能に構成されていてもよい。
【００３５】
本開示の一態様では、ケースは、第１分割ケース及び第２分割ケースと一体成形されて、第１分割ケースと第２分割ケースを開閉可能に連結するヒンジ部を有してもよい。
【符号の説明】
【００３６】
１…ノイズフィルタ、３…磁性コア、５…ケース、１１…貫通孔、１３Ａ…第１分割コア、１３Ｂ…第２分割コア、１５Ａ…第１分割ケース、１５Ｂ…第２分割ケース、１７…ヒンジ部、２１…凹部、２３…爪部、２５…ばね部、３１…係合突起、３３…弾性係合片、３５Ａ…第１挟持部、３５Ｂ…第２挟持部、３７…抜止部、４１，４５…空隙、４３，４７…スリット、５１…延出片、５３…突起、６１…電子回路基板、６３…フラットケーブル、７１…切欠き部、７３Ａ…第１縁部、７３Ｂ…第２縁部、７５…被係合部。
【図１】
2020077739.tif 000003
【図２】
2020077739.tif 000004
【図３】
2020077739.tif 000005
【図４】
2020077739.tif 000006
【図５】
2020077739.tif 000007
【図６】
2020077739.tif 000008
【図７】
2020077739.tif 000009